(57)【特許請求の範囲】
【請求項１】
加熱室に高周波を供給するインバータ制御の高周波発振手段と、前記加熱室内を加熱するヒータと、前記加熱室内の温度を検知する検知手段と、前記高周波発振をコントロールする制御手段とを備え、前記高周波発振手段と前記ヒータは同時に動作スタートするとともに、前記制御手段は前記検知手段の信号によるヒータのオフ動作時に同期して前記インバータ制御される高周波発振を、許容される総入力電流を超えることのない範囲で同時スタート時の出力よりも高い最高出力または最高出力に近い出力にコントロールする高周波加熱装置。
【発明の詳細な説明】
【０００１】
【発明の属する技術分野】
本発明は、高周波発振手段とヒータを備え、高周波加熱とヒータ加熱を効率良く行う高周波加熱装置に関するものである。
【０００２】
【従来の技術】
従来、この種の高周波加熱装置としては、例えば、高周波発振とヒータ動作を同時に行う高周波加熱装置があったが、ヒータ動作と高周波発振を同時に行うため、この高周波加熱装置の許容総入力電流を越えない様にインバータ制御の高周波発振手段によって高周波発振時の出力をかなり絞った（最高出力の６０％程度）状態で使用されていた。図４は、従来の高周波加熱装置の高周波発振とヒータ動作を示すシーケンスの図である。
【０００３】
図４において、（ａ）は高周波発振、（ｂ）はヒータ動作、（ｃ）は１高周波発振と２ヒータ動作を複合した電流値で示すシーケンスの図である。
【０００４】
高周波発振は６０％最高出力で動作スタートし、ヒータはオン動作でスタートされる。４の時点で設定された加熱室内温度に達するとヒータ動作はオン−オフのデューティー動作に入る。ヒーターがオフ動作の間も高周波発振は６０％最高出力で動作される。
【０００５】
【発明が解決しようとする課題】
しかしながら、前記従来の構成では、高周波加熱装置が許容される総入力電流により（例えば一般家庭用高周波加熱装置の場合  日本国内であれば許容総入力電流は１００Ｖで１５Ａまで）、高周波発振とヒータ動作を同時に行うためには入力電流をコントロールできるインバータ制御の高周波発振手段の搭載が必要であるとともに、高周波発振を最高出力または最高出力に近い出力で動作出来ないという課題を有していた。
【０００６】
本発明は、前記従来の課題を解決するもので、高周波発振加熱とヒータ動作加熱を同時に効率良く短時間で行うことが出来る高周波加熱装置を提供することを目的とする。
【０００７】
【課題を解決するための手段】
前記従来の課題を解決するために、本発明の高周波加熱装置は、加熱室に高周波を供給するインバータ制御の高周波発振手段と、前記加熱室内を加熱するヒータと、前記加熱室内の温度を検知する検知手段と、前記高周波発振をコントロールする制御手段とを備え、前記高周波発振手段と前記ヒータは同時に動作スタートするとともに、前記制御手段は前記検知手段の信号によるヒータのオフ動作時に同期して前記インバータ制御される高周波発振を、許容される総入力電流を超えることのない範囲で同時スタート時の出力よりも高い最高出力または最高出力に近い出力にコントロールする構成としてある。
【０００８】
これによって、高周波加熱装置が許容される総入力電流を超えることなく高周波発振加熱とヒータ動作加熱を同時に効率良く短時間で行うことが出来ることとなる。
【０００９】
【発明の実施の形態】
請求項１に記載の発明は、加熱室に高周波を供給するインバータ制御の高周波発振手段と、前記加熱室内を加熱するヒータと、前記加熱室内の温度を検知する検知手段と、前記高周波発振をコントロールする制御手段とを備え、前記高周波発振手段と前記ヒータは同時に動作スタートするとともに、前記制御手段は前記検知手段の信号によるヒータのオフ動作時に同期して前記インバータ制御される高周波発振を、許容される総入力電流を超えることのない範囲で同時スタート時の出力よりも高い最高出力または最高出力に近い出力にコントロールする高周波加熱装置とすることにより、ヒータ加熱時に検知手段の信号よるヒータのオフ動作時に同期させて高周波発振を最高出力または最高出力に近い出力で行うことが出来ることとなり、高周波発振加熱とヒータ動作加熱を同時に効率良く短時間ですることができる。
【００１０】
【実施例】
以下本発明の実施例について、図面を参照しながら説明する。
【００１１】
（実施例１）
図１は、本発明の実施例１における高周波加熱装置の概略図を示すものである。
【００１２】
図１において、５は加熱室、６は入力電流をコントロールできるインバータ制御で高周波を供給する高周波発振手段、７は加熱室内を加熱するヒータ、８は加熱室内の温度を検知する検知手段、９は検知手段の信号によるヒータのオフ動作時に同期して高周波発振をコントロールする制御手段である。
【００１３】
以上のように構成された高周波加熱装置について、以下に図２においてその動作、作用を説明する。
【００１４】
まず、（ａ）は高周波発振のシーケンスを示す図、（ｂ）はヒータ動作のシーケンスを示す図、（ｃ）は（ａ）と（ｂ）を複合した電流値を示す図である。
【００１５】
高周波発振は６０％最高出力で動作スタートし、ヒータはオン動作でスタートされる。１３の時点で加熱室の温度が設定された温度に達すると加熱室内の温度を検知する検知手段によりヒータをオフ動作とする信号が制御手段に送られる。制御手段によりその信号に同期させて最高出力で高周波発振を行なう。１４の時点で加熱室の温度が設定された温度以下になると加熱室内の温度を検知する検知手段によりヒータをオン動作とする信号が制御手段に送られる。制御手段によりヒータがオン動作となる直前に高周波発振を６０％最高出力にもどし動作させる。この様に設定された調理時間が終了するまで前記動作サイクルが継続して繰り返される。
【００１６】
以上のように、本実施例においては加熱室に高周波を供給する高周波発振手段と、加熱室内を加熱するヒータと、加熱室内の温度を検知する検知手段と、検知手段の信号によるヒータのオフ動作時に同期して高周波発振をコントロールする制御手段を備えてなる高周波加熱装置とすることにより、ヒータ加熱時に検知手段の信号よるヒータのオフ動作時に同期させて高周波発振を最高出力または最高出力に近い出力で動作させることが出来ることとなり、高周波加熱装置が許容される総入力電流を超えることなく高周波発振加熱とヒータ動作加熱を同時に効率良く短時間で行うことが出来る。
【００１７】
（参考例１）
この高周波加熱装置は入力電流をコントロールできない従来のＬＣ電源の高周波発振装置を備えている。以下、図３においてその動作、作用を説明する。
【００１８】
図３において、（ａ）は高周波発振のシーケンスを示す図、（ｂ）はヒータ動作のシーケンスを示す図、（ｃ）は（ａ）と（ｂ）を複合した電流値で示すシーケンスの図である。
【００１９】
高周波発振はオフ動作でスタートし、ヒータはオン動作でスタートされる。１８の時点で加熱室の温度が設定された温度に達すると加熱室内の温度を検知する検知手段によりヒータをオフ動作とする信号が制御手段に送られる。この制御手段によりその信号に同期させてＬＣ電源の高周波発振手段で高周波発振を行なう。
【００２０】
１９の時点で加熱室の温度が設定された温度以下になると加熱室内の温度を検知する検知手段によりヒータをオン動作とする信号が制御手段に送られる。制御手段によりヒータがオン動作となる直前に高周波発振をオフ動作にもどす。これにより設定された調理時間が終了するまで前記動作サイクルが継続して繰り返される。加熱室内の温度が設定された温度に達するまでは制御手段で動作時間制御を行って高周波発振とヒータ動作を交互にオン動作させる場合もある。
【００２１】
以上のように、この参考例においては加熱室に高周波を供給する高周波発振手段と、加熱室内を加熱するヒータと、加熱室内の温度を検知する検知手段と、検知手段の信号によるヒータのオフ動作時に同期して高周波発振をコントロールする制御手段を備えてなる高周波加熱装置とすることにより、ヒータ加熱時に検知手段の信号よるヒータのオフ動作時に同期させて高周波発振をさせることが出来ることとなり、高周波加熱装置が許容される総入力電流を超えることなく高周波発振加熱とヒータ動作加熱を交互に効率良く短時間で行うことが出来る。
【００２２】
【発明の効果】
以上のように本発明によれば、高周波加熱装置が許容される総入力電流を超えることなく高周波発振加熱とヒータ動作加熱を同時または交互に効率良く短時間で行うことが出来る。
【図面の簡単な説明】
【図１】  本発明の実施例１における高周波加熱装置の概略図
【図２】  （ａ）本発明の実施例１における高周波発振動作のシーケンスを示す図
（ｂ）本発明の実施例１におけるヒータ動作のシーケンスを示す図
（ｃ）（ａ）、（ｂ）を複合した電流値を示す図
【図３】  （ａ）本発明の参考例１における高周波発振動作のシーケンスを示す図
（ｂ）ヒータ動作のシーケンスを示す図
（ｃ）（ａ）、（ｂ）を複合した電流値を示す図
【図４】  （ａ）従来の高周波加熱装置における高周波発振動作のシーケンスを示す図
（ｂ）従来のヒータ動作のシーケンスを示す図
（ｃ）（ａ）、（ｂ）を複合した電流値を示す図
【符号の説明】
５  加熱室
６  高周波発振手段
７  ヒータ
８  検知手段
９  制御手段
【図１】
0003925223.tif 000002
【図２】
0003925223.tif 000003
【図３】
0003925223.tif 000004
【図４】
0003925223.tif 000005